(57)【要約】【課題】出荷後に、パターンド媒体の同期エラーを検出し、その同期エラーを回避するか、補正するかして、同期エラーに対する動作保証を可能にすること。【解決手段】情報を記録するパターンド媒体と、該パターンド媒体と同一媒体上の一部又は別の媒体上に設けた連続媒体領域と、前記パターンド媒体と連続媒体領域に対して情報をライト／リードするライト／リード手段２、３と、該情報のライト／リードの制御を行う制御手段５とを備え、前記制御手段５は、あるデータを記録する際、前記ライト／リード手段２、３でビットパターンド媒体領域と連続媒体領域に同一のデータを記録し、該記録直後に該記録した２つの再生波形を比較することにより、パターンド媒体上で同期エラーが発生しているかどうかを検知する。【選択図】図１
2009116924.tif 000002
【特許請求の範囲】
【請求項１】
情報を記録するパターンド媒体と、
該パターンド媒体と同一媒体上の一部又は別の媒体上に設けた連続媒体領域と、
前記パターンド媒体と連続媒体領域に対して情報をライト／リードするライト／リード手段と、
該情報のライト／リードの制御を行う制御手段とを備え、
前記制御手段は、あるデータを記録する際、前記ライト／リード手段でパターンド媒体領域と連続媒体領域に同一のデータを記録し、該記録直後に該記録した２つの再生波形を比較することにより、パターンド媒体上で同期エラーが発生しているかどうかを検知することを特徴とした垂直磁気記録装置。
【請求項２】
前記制御手段は、前記同期エラーが発生した場合に、前記連続媒体領域上のデータを保存しておき、再生時に使用することを特徴とした請求項１記載の垂直磁気記録装置。
【請求項３】
前記制御手段は、前記同期エラーが発生する領域を使用しないようにすることを特徴とした請求項１記載の垂直磁気記録装置。
【請求項４】
前記制御手段は、前記パターンド媒体上の前記同期エラーが発生した箇所において、データ全体をある間隔分だけ前または後ろにずらして記録し、前記連続媒体領域上の再生波形と一致するまで前記ずらす記録を繰り返し、その一致した記録の補正方法を格納手段に記録して再生時に使用することを特徴とした請求項１記載の垂直磁気記録装置。
【発明の詳細な説明】
【技術分野】
【０００１】
本発明は、パターンを形成した媒体（パターンド媒体）において、パターンの製造バラツキにより生じる記録時の同期エラーを防ぐ垂直磁気記録装置に関する。
【背景技術】
【０００２】
従来の垂直磁気記録用の連続媒体では、記録ビットの境界（磁化遷移領域）がノイズ源となり高密度化が困難であった。一方、媒体上にパターンを作製するビットパターンド媒体では、記録ビットの境界が記録できない領域となるため、低ノイズとなり、高密度化に適しているとされている。しかしながら、デメリットとしては、製造時にパターンのバラツキが大きいと、記録信号と記録ビットの間で位置ズレが起こり、所定のビットに記録されないという同期エラーが生じるものであった。
【０００３】
従来、磁気転写用マスター担体の検査に関して、検査対象たる磁気転写用マスター担体を用いて検査用被転写媒体に磁気信号を磁気転写し、該被転写媒体から電気的に再生信号パターンを取得し、該取得した再生信号パターンを磁気転写用マスター担体作製時の設計信号パターンと比較検査し、両パターンの一致度が所定値以上であれば合格、該所定値未満であれば不合格と判定するものがあった（特許文献１参照）。
【０００４】
また、従来、記録再生装置の位相同期回路に関して、磁気ディスクコントロ−ラの再生エラ−検出手段は、オフセット値について磁気記録媒体より読みだしたテストデータが書き込んだテストデータと一致するかを判定し、再生エラ−検出手段における判定結果から、最も最適であるオフセット値を推定し、オフセット調整手段に設定するものがあった。そして、この設定で位相同期回路の生成クロックを高精度化する技術があった（特許文献２参照）。
【特許文献１】特開２００４−２５３０４０号公報
【特許文献２】特開平７−２６４０５７号公報
【発明の開示】
【発明が解決しようとする課題】
【０００５】
上記従来のものは、次のような課題だあった。
【０００６】
（１）：ビットパターンド媒体の製造時にパターンのバラツキが大きいと、記録信号と記録ビットの間で位置ズレが起こり、所定のビットに記録されないという同期エラーが生じることがあった。
【０００７】
（２）：磁気転写用マスター担体を用いて検査用被転写媒体に磁気信号を磁気転写するものは、出荷後の駆動時に、常時又はある期間ごとに比較検査するものではなく、また、同期エラーの発生を検査するために、連続媒体を用いるものではなかった。
【０００８】
（３）：位相同期回路の生成クロックの高精度化のためオフセット調整手段を設けるものは、ビットパターンド媒体の同期エラーを検知するための回路に関するものではなく、また、エラーを検出する仕組みとして、異なる媒体である連続媒体を用いるものではなかった。
【０００９】
ここで説明する垂直磁気記録装置では、ビットパターンド媒体において、ビット位置に製造バラツキがある場合、記録時に同期エラーを検知し、そのデータ領域を使用しないように制御するか、補正して記録し直すかの対策を施し、同期エラーをなくすことを目的とする。
【課題を解決するための手段】
【００１０】
図１は本発明の垂直磁気記録装置の説明図である。図１中、２はビットパターンド媒体用のライト／リード部（ライト／リード手段）、３は連続媒体用のライト／リード部（ライト／リード手段）、４は再生信号比較部、５は制御部（制御手段）、６は記録タイミング調整部である。
【００１１】
この垂直磁気記録装置は、上記従来の課題を解決するため、次のような手段を有する。
【００１２】
（１）：情報を記録するパターンド媒体と、該パターンド媒体と同一媒体上の一部又は別の媒体上に設けた連続媒体領域と、前記パターンド媒体と連続媒体領域に対して情報をライト／リードするライト／リード手段２、３と、該情報のライト／リードの制御を行う制御手段５とを備え、前記制御手段５は、あるデータを記録する際、前記ライト／リード手段２、３でパターンド媒体領域と連続媒体領域に同一のデータを記録し、該記録直後に該記録した２つの再生波形を比較することにより、パターンド媒体上で同期エラーが発生しているかどうかを検知する。このため、出荷後に、パターンド媒体の同期エラーを検出し、その同期エラーを回避するか、補正するかして、同期エラーに対する動作保証を可能にすることができる。
【００１３】
（２）：前記（１）の垂直磁気記録装置において、前記制御手段５は、前記同期エラーが発生した場合に、前記連続媒体領域上のデータを保存しておき、再生時に使用する。このため、パターンド媒体の同期エラーを連続媒体領域で回避することができる。
【００１４】
（３）：前記（１）の垂直磁気記録装置において、前記制御手段５は、前記同期エラーが発生する領域を使用しないようにする。このため、パターンド媒体の同期エラーが発生しない領域を使用して同期エラーを回避することができる。
【００１５】
（４）：前記（１）の垂直磁気記録装置において、前記制御手段５は、前記パターンド媒体上の前記同期エラーが発生した箇所において、データ全体をある間隔分だけ前または後ろにずらして記録し、前記連続媒体領域上の再生波形と一致するまで前記ずらす記録を繰り返し、その一致した記録の補正方法を格納手段に記録して再生時に使用する。このため、パターンド媒体のパターンにバラツキがあっても補正して使用することができる。
【発明の効果】
【００１６】
本発明によれば次のような効果がある。
【００１７】
（１）：あるデータを記録する際、ライト／リード手段でパターンド媒体領域と連続媒体領域に同一のデータを記録し、該記録直後に該記録した２つの再生波形を比較することにより、パターンド媒体上で同期エラーが発生しているかどうかを検知するため、出荷後に、ビットパターンド媒体の同期エラーを検出し、その同期エラーを回避するか、補正するかして、同期エラーに対する動作保証を行うことができる。
【００１８】
（２）：パターンド媒体の同期エラーが発生した場合に、連続媒体領域上のデータを保存しておき、再生時に使用するため、パターンド媒体の同期エラーを連続媒体領域で回避することができる。
【００１９】
（３）：パターンド媒体の同期エラーが発生する領域を使用しないようにするため、パターンド媒体の同期エラーが発生しない領域を使用して同期エラーを回避することができる。
【００２０】
（４）：パターンド媒体上の同期エラーが発生した箇所において、データ全体をある間隔分だけ前または後ろにずらして記録し、同一データがある連続媒体領域上の再生波形と一致するまで前記ずらす記録を繰り返し、その一致した記録の補正方法を格納手段に記録して再生時に使用するため、パターンド媒体のパターンにバラツキがあっても補正して使用することができる。
【発明を実施するための最良の形態】
【００２１】
ビットパターンド媒体を用いた垂直磁気記録装置において、ビットパターンド媒体と同一媒体上の一部、又は別の媒体上に連続媒体領域を作製する。そして、あるデータを記録する際、ビットパターンド媒体領域と連続媒体領域に同一のデータを記録し（連続媒体領域には低密度でよい）、記録直後に２つの再生波形を比較することにより、ビットパターンド媒体上で同期エラーが発生しているかどうかを検知するものである。この同期エラーの発生時の対策として次の(1) 〜 (3)がある。
【００２２】
(1) 同期エラーが発生した場合に、連続媒体上のデータを保存しておき、再生時に使用する。
【００２３】
(2) エラーが発生する領域を使用しないようにシステム上（例えば、制御部の格納手段）に記録してエラーが発生しない場所を使用する。
【００２４】
(3) ビットパターンド媒体上の同期エラーが発生した箇所において、データ全体をある間隔分だけ前または後ろにずらし、トライアンドエラーで連続媒体上の再生波形と一致するまで繰り返し、その補正方法をシステム上（例えば、制御部の格納手段）に記録して使用する。
【００２５】
（１）：垂直磁気記録装置の説明
図１は垂直磁気記録装置の説明図である。図１において、垂直磁気記録装置には、ビットパターンド媒体用のライト（Write ）／リード（Read）部２、連続媒体用のライト（Write ）／リード（Read）部３、再生信号比較部４、制御部５、記録タイミング調整部６が設けてある。なお、再生信号比較部４、記録タイミング調整部６は、制御部５内に設けることもできる。
【００２６】
ビットパターンド媒体用のライト／リード部２は、垂直ヘッドによりビットパターンド媒体に対して情報をライト／リードするビットパターンド媒体用の情報記録再生手段である。連続媒体用のライト／リード部３は、磁気ヘッドにより連続媒体に対して情報をライト／リードする連続媒体用の情報記録再生手段である。再生信号比較部４は、ビットパターンド媒体から再生した信号と連続媒体から再生した信号とを比較する再生信号比較手段である。制御部５は、ビットパターンド媒体及び連続媒体への記録再生等のこの垂直磁気記録装置全体の制御を行う制御手段である。記録タイミング調整部６は、ビットパターンド媒体に対して、ある間隔分だけ（例えば、１／２０ビット）ずつ前（又は後ろ）にずらした記録を行うための記録タイミング調整手段である。
【００２７】
（２）：パターンド媒体の説明
図２はビットパターンド媒体の説明図である。図２において、ビットパターンド媒体の断面図を示しており、ビットパターンド媒体１は、ガラス等の非磁性の基板１１上に軟磁性材料の裏打層１２が設けられ、その上に硬磁性材料の記録ビット１３と非磁性領域１４が設けられる。この記録ビット１３は、非磁性領域１４により互いに分離されている。そして、１つのパターンである記録ビット１３には、１ビットが記録できる。この記録ビット１３のサイズを小さくすることにより高密度の記録を行うことができる。
【００２８】
ビットパターンド媒体１の作製方法として、従来の連続媒体と同様に、基板１１上に軟磁性材料１２をスッパッタにより製膜する。次に、ビット状の記録層（記録ビット１３）の作製方法として、記録層材料（例えば、ＦePt,ＣoPt ）をスッパッタ後にイオン注入により非磁性領域１４を作製する等の方法がある。その他、ＥＢ（電子線）描画により作製する方法もある。
【００２９】
（３）：同期エラーの検出処理及び同期エラー補正の説明
同期エラーの検出処理は、まず、情報Ａの記録操作を開始する（図３）。このとき、情報Ａをビットパターンド媒体上に記録し（Ａ−１）、同じ情報Ａを連続媒体上に記録する（Ａ−２）。連続媒体上のデータは補助データであり、必要に応じて消去するため、低密度で記録してよい。そして、この記録直後にビットパターンド媒体と連続媒体の再生信号を比較し、信号が一致した場合は同期エラーがないと判断するので問題ない。一方、一致しない場合、同期エラーがあるため、ビットパターンド媒体上のデータを補正して使用する場合（イ）と補正せずに使用する場合（ロ）に分かれる。（ロ）の場合には、連続媒体上にデータを保管し、再生時にそれを用いる場合とビットパターンド媒体上で別の場所に記録を行い、フローチャートの初期から再度開始（記録操作を開始）するかのどちらでもよい。
【００３０】
（イ）の場合には、操作Ｂ（図４）を行う。操作Ｂとした理由は、１又は数ビットのランダムな位置の補正量を見積もるには、工数（時間) が大幅に必要なため、１又は数ビットごとに記録タイミングをずらすのではなく、あるデータ領域内では記録タイミングを一様（例えば１／２０ビット分ずつ前）にずらして同期エラーが解消されるまで記録タイミングのずれを大きくしながら繰り返す。記録タイミングのずらし方として、前または後ろのいずれかが不明のため、後ろ（１／２０ビットずつ後ろ）にも同様にずらして行う。同期エラーが解消されたかの判断は、前述したように、連続媒体のデータと比較して行う。以上の操作Ｂで同期エラーが解消されない場合には、補正を行わないこととし、連続媒体上のデータを使用するか、別の領域に再度記録操作を行う。
【００３１】
以上の工程は、記録ごとに行った場合には、パフォーマンスが低下する可能性があるため、同期エラーが発生する位置の特定と補正方法を制御部５内等（システム上）の格納手段に保存しておき、記録ごとに同期エラーチェックを行わなくてもよいとする。
【００３２】
図３は同期エラーを検出するためのフローチャートである。以下、図３の処理Ｓ１〜Ｓ６に従って説明する。
【００３３】
Ｓ１：制御部５は、上位装置（ホスト）等からの指示により、情報Ａの記録操作を開始し、処理Ｓ１、Ｓ２に移る。
【００３４】
Ｓ２：制御部５は、ビットパターンド媒体用のライト／リード部２で情報Ａをビットパターンド媒体上に記録（Ａ−１）し、処理Ｓ４に移る。
【００３５】
Ｓ３：制御部５は、連続媒体用のライト／リード部３でビットパターンド媒体上と同じ情報Ａを連続媒体上に記録（Ａ−２）し、処理Ｓ４に移る。
【００３６】
Ｓ４：制御部５は、ビットパターンド媒体用のライト／リード部２で再生したビットパターンド媒体の記録（Ａ−１）と連続媒体用のライト／リード部３で再生した連続媒体上の記録（Ａ−２）を、再生信号比較部４で比較し、比較した信号が一致した場合は記録（Ａ−２）を消去し、一致しない場合は、記録（Ａ−１）を書き換える時は処理Ｓ５に移り書き換えない時は処理Ｓ６に移る（なお、この記録（Ａ−１）を書き換えるどうかは予めユーザが指定する）。
【００３７】
Ｓ５：制御部５は、記録（Ａ−１）の書き換え操作Ｂ（図４の同期エラーの補正参照）行う。この操作Ｂで、同期エラーが解消された場合は処理Ｓ７に移り、同期エラーが解消されない場合は処理Ｓ６に移る。
【００３８】
Ｓ６：制御部５は、ビットパターンド媒体上の記録（Ａ−１）を欠陥として、処理Ｓ７に移る（連続媒体上の記録（Ａ−２）を使用）、又はビットパターンド媒体上の別のデータ領域（同期エラーが解消されない欠陥領域は使用しないようにする）に対して記録を行うため処理Ｓ１に戻る。なお、この連続媒体上の記録（Ａ−２）を使用するか別のデータ領域に記録するかは予めユーザが指定する。
【００３９】
Ｓ７：制御部５は、記録データ再生時、同期エラーがない場合又は同期エラーが解消された場合はビットパターンド媒体上の記録（Ａ−１）を再生し、同期エラーで連続媒体を使用する場合は記録（Ａ−２）を再生する。
【００４０】
図４は同期エラーの補正のフローチャートである。以下、図４の同期エラーの補正（操作Ｂ）を処理Ｓ１１〜Ｓ１２に従って説明する。
【００４１】
Ｓ１１：制御部５は、同期エラーが発生したビットパターンド媒体のデータ領域に対して、記録タイミング調整部６で記録タイミングを１／２０ビットずつ前（及び後ろ）にずらし、ビットパターンド媒体用のライト／リード部２で情報Ａを再度記録し、Ｓ１２に移る。なお、１／２０ビットずつ前（及び後ろ）にずらす範囲は、前後１０／２０ビット程度以内とする。
【００４２】
Ｓ１２：制御部５は、ビットパターンド媒体用のライト／リード部２で再生したビットパターンド媒体の記録と連続媒体用のライト／リード部３で再生した連続媒体上の記録（Ａ−２）を、再生信号比較部４で比較し、比較した信号が一致した場合はこの処理を終了（同期エラー解消、記録（Ａ−２）は消去）し、一致しない場合は処理Ｓ１１に戻る。なお、１／２０ビットずつの前、後ろへのずらしは規定値ずらしても比較した信号が一致しないと、同期エラーが解消されない場合となる（図３の処理Ｓ５参照）。
（補足説明）
・連続媒体の領域は、ビットパターンド媒体と同一媒体の同一面上、又は、裏面、又は、他の媒体上でもよく、その領域は媒体全面でなく、限られた領域でよい。
【００４３】
・連続媒体への記録・再生用のヘッドは、ビットパターンド媒体と連続媒体へ同時に記録ができるようにするため、ビットパターンド媒体用のヘッドとは個別に搭載する必要がある。
【００４４】
・連続媒体の材料は、ビットパターンド媒体と同一の材料でよく、部分的にパターニング（イオン注入など）しないことにより作製することができる。また、連続媒体の記録密度は低密度でよく、同期エラーが発生しない場合は消去して何回も使用することができる。
【図面の簡単な説明】
【００４５】
【図１】本発明の垂直磁気記録装置の説明図である。
【図２】本発明のビットパターンド媒体の説明図である。
【図３】本発明の同期エラーを検出するためのフローチャートである。
【図４】本発明の同期エラーの補正のフローチャートである。
【符号の説明】
【００４６】
１  ビットパターンド媒体（パターンド媒体）
２  ビットパターンド媒体用のライト／リード部（ライト／リード手段）
３  連続媒体用のライト／リード部（ライト／リード手段）
４  再生信号比較部
５  制御部（制御手段）
６  記録タイミング調整部
【図１】
2009116924.tif 000003
【図２】
2009116924.tif 000004
【図３】
2009116924.tif 000005
【図４】
2009116924.tif 000006